(57)【特許請求の範囲】
【請求項１】
外周部、上部、及び底部を有する、平らなベース、
前記ベースの前記上部から延びる第一及び第二のハブ、
前記ベースの前記周部付近に前記ベースから延び、内面、外面、及び上部を有する、外壁、
前記ベースの前記上部から延び、前記各ハブと前記外壁を接続する、複数の縫糸スポーク、
前記ベースから延び、前記外壁の対向部分を接続する、少なくとも１つのリブ、
前記各スポークと前記各リブにあり、上方に開く開口および底部を備え、縫糸溝を形成する、複数の溝、
周部と、縫糸出口とを有する、平らな蓋、及び
前記蓋を前記外壁の前記上部に固定する閉塞手段、
を具備する縫糸パッケージ。
【請求項２】
外周部、上部、及び底部を有する、平らなベース、
前記ベースの前記上部から延びる第一及び第二のハブ、
前記ベースの前記周部付近に前記ベースから延び、内面、外面、及び上部を有する、外壁、
前記ベースの前記上部から延び、前記各ハブと前記外壁を接続する、複数の縫糸スポーク、
前記ベースから延び、前記外壁の対向部分を接続する、少なくとも１つのリブ、及び
前記各スポークと前記各リブにあり、上方に開く開口および底部を備え、縫糸溝を形成する、複数の溝、
を具備する縫糸パッケージ。
【請求項３】
外周部、上部、及び底部を有する、ほぼ平らなベース、
前記ベースの前記周部付近に前記ベースの前記上部から延び、内面、外面、及び上部を有する、外壁、
前記ベースにあって、前記ベースの上部にある上方に開く開口、底部、及び側部を有する、縫糸を受ける、少なくとも１つの溝、
前記ベースの上部の中央で内壁内にある、針を受ける、針パーク手段、
前記外壁の上部に取り付けられ、上部、底部、縫糸出口、及び外周部を有する、平らな蓋、及び
前記蓋を前記外壁の前記上部に固定する手段、
を具備する縫糸パッケージ。
【請求項４】
外周部、上部、及び底部を有する、ほぼ平らなベース、
前記ベースの前記周部付近に前記ベースの前記上部から延び、内面、外面、及び上部を有する、外壁、
前記ベースにあって、前記ベースの上部にある上方に開く開口、底部、及び側部を有する、縫糸を受ける、少なくとも１つの溝、
前記ベースの上部の中央で内壁内にある、針を受ける、針パーク手段、
周部と、縫糸出口とを有する、平らな蓋、及び
前記蓋を前記外壁の前記上部に固定する手段、
を具備する縫糸パッケージ。
【請求項５】
請求項１、３または４のいずれかに記載の縫糸パッケージであって、
前記蓋は、前記縫糸が当該縫糸パッケージから引き出されるときに、前記縫糸が前記ベースの上部と前記蓋の底部の間を通過できるように、上方に傾斜または移動できるように前記ベースに取り付けられている、縫糸パッケージ。
【発明の詳細な説明】
【０００１】
【発明の属する技術分野】
この発明は、パッケージ、特に、外科用針と縫糸用パッケージに関する。
【０００２】
【従来の技術】
外科用針と縫糸用パッケージはこの分野ではよく知られている。例えば、従来のパッケージは、縫糸を受けるために折り畳み可能に接続している複数のパネルを有する折り畳み可能なボール紙又は紙から形成される。この様なパッケージには一般に針を収容する針パークがある。パッケージは、滅菌、出荷及び取扱の間針と縫糸を保護するように設計されている。さらに、パッケージは、針と縫糸を容易に取り出せるように設計されている。従来プラスチックパッケージも外科用針と縫糸用に使用されている。プラスチックパッケージは一般に楕円形又は円形で、１以上の縫糸を収容するために周部に縫糸溝がある。一般に針パークは外科用針を収容する溝の内側にある。プラスチックパッケージは紙製パッケージに比べ、装填し易く、縫糸を溝内のコントロールされた位置に保持でき、引き出し易い点で、幾つかの長所を有すると考えられている。縫糸を収容する溝のある縫糸パッケージは、参考としてここに取り込むが、以下の米国特許に示されている。米国特許第４，９６７，９０２号、米国特許第５，０５２，５５１号、米国特許第４，９６７，９０２号、米国特許第５，１３１，５３３号、米国特許第５，２１３，２１０号、米国特許第４，９６１，４９８号。
【０００３】
【発明が解決しようとする課題】
従来のパッケージは外科用縫糸と針を適当に収容することが知られているが、この分野には縫糸パッケージの改善の要求がある。特に、自動縫糸巻取装置に容易に使用できる、縫糸溝のある縫糸パッケージが求められている。さらに、この分野では、縫糸をパッケージから引き出すとき縫糸が「からむ」ことが少なく、「巻配置」パターンで縫糸を維持する、縫糸溝のある縫糸パッケージが求められている。
【０００４】
本発明の目的は、巻溝があり、容易に自動縫糸巻取方法に使用できる改善された縫糸パッケージを得ることである。
本発明の他の目的は、巻溝があり、縫糸をパッケージから引き出すとき縫糸が「からむ」ことが少ない縫糸パッケージを得ることである。
本発明の他の目的は、出荷と取扱の間、縫糸を「巻配置」パターンで保持する縫糸パッケージを得ることである。
【０００５】
【課題を解決するための手段】
外科用針と縫糸用パッケージが開示される。パッケージには、外周部、上部、底部を有する平らなベースがある。第一及び第二のハブがベースの上部から延びる。ベースから延びる外壁はベースの外周部付近にある。外壁には内面、外面及び上部がある。複数の縫糸スポークがベースの上部から延びる。各スポークには上部と側部がある。縫糸スポークが各ハブを外壁に接続する。少なくとも１つのリブがベースから延びる。各リブには上部と側部がある。各リブが外壁の対向部分を接続する。各スポークと各リブの上部に延びる複数の溝がある。溝は、縫糸を受け保持する縫糸溝を形成する。溝には、開口、底及び側部がある。外科用針を保持する針パークが、ベースの上部にある。好ましくは１以上のリブの一部分にある開口が針パークを形成する。外周部のある平らな蓋が外壁の上部に取り付けられる。平らな蓋には、上部、底部、縫糸出口及び外周部がある。好ましい実施例では、蓋を外壁の上部に固定するための閉塞リップが、外壁の外面から延びている。リップは曲がり又はステークして蓋を外壁の上部に固定する。「ステークする（ｓｔａｋｅ）」の用語はこの分野で一般に使用する用語であり、部材を押し込み又は変形して機械的に蓋等のパッケージの部品を所定の位置に固定することであると定義される。
【０００６】
他の本発明は縫糸パッケージである。縫糸パッケージにはほぼ平らなベースがある。ベースには、上部、底部及び外周部がある。外壁が外周部付近においてベースの上部から上方に延びる。外壁には、上部、内側及び外側がある。溝に入る複数の縫糸がベースの上部に収容される。１本の連続する溝でよいが（例えば螺旋形）、溝は好ましくは同心である。溝には開口、底及び側部がある。針パークは、溝の内側で平らなベースの上部にある。平らな蓋がパッケージに取り付けられる。平らな蓋には上部、底部、縫糸出口及び外周部がある。好ましい実施例では、蓋を外壁の上部に固定するための閉塞リップが、外壁の外面から延びている。
【０００７】
初めに針を針パークから取り出し、針と縫糸を蓋の出口から引いて、針と縫糸は組み合わさって本発明のパッケージから取り出される。好ましくは、縫糸コイルは連続して、溝から、蓋の底部とリブ、スポーク又はベースの上部の間を通って、次いで蓋の出口を通って引き出される。
本発明の前述の及び他の特徴と効果は以下の説明と添付の図面によってさらに明らかとなるであろう。
【０００８】
【発明の実施の形態】
１９９５年２月１０日出願の同出願人の係属中の米国特許出願第０８／３８６，６１９号を、参考として全てここに取り込む。
図１〜図３は本発明の縫糸パッケージを示す。縫糸パッケージ５には、トレイ１０と蓋７０がある。トレイ１０には平らなベース２０がある。平らなベース２０には、上部２１、底部２２及び外周部２４がある。平らなベース２０はほぼ楕円形で、対向するほぼ平行な長辺が、対向する半円端部により接続している。平らなベース２０は、これ以外の楕円形、円形、多角形及びそれらの組み合わせ等の他の形でもよい。
【０００９】
ハブ４１、４２がベース２０の上部２１から延びている。スポーク４３がベース２０から上方に延び、外壁３０の内面３２とハブ４１、４２を接続している。スポーク４３には上部４４と側部４５がある。スポーク４３には、隆起４７により離されている溝４６がある。溝４６には開口４８と底４９がある。リブ５０がベース２０から上方に延びている。リブ５０には上部５１と側部５２がある。リブ５０には隆起５８により離されている溝５３がある。さらに、溝５３には底５５と開口５６がある。溝４６と５３が縫糸巻溝１５を形成する。好ましくは、縫糸溝１５は複数の溝４６と５３から形成される。縫糸溝１５は螺旋形でも、複数の同心溝でもよい。溝１５の望ましい形は溝４６と５３の配置により決まる。
【００１０】
本発明の蓋７０は、ベース２０と同様又は同じ形のほぼ平らな部材である。図１０に示すように、蓋には周部７２及び巻孔４４があり、場合によっては外方に延びる放射状開口７５がある。さらに、蓋７０には縫糸出口７６がある。出口７６は、四角形、長方形、楕円形、それらの組合せ等どのような形でもよい。しかしながら、出口７６が楕円形であるのが特に好ましい。
【００１１】
外壁３０が、周部２４付近で平らなベース２０の上部から上方に延びている。外壁３０には上部３６、内面３２及び外面３４がある。閉塞リップ９０が、壁３０の上部３６の近くで外面３４から延びている。閉塞リップ９０には、外側に延びるセクション９２と上方に延びるセクション９４がある。蓋７０を外壁３０の上部３６に固定するために、閉塞リップ９０は曲がること又は内側に変形すること（又はステークすること）ができる。蓋７０をトレイ１０に固定するために、従来の等価の閉塞機構を使用できる。トレイ１０には、熱又は超音波で取り付けられた蓋を貫いて延びるピン、カバースリーブ、蝶番ドア等がある。図３（Ｂ）は他の閉塞機構の実施例を示す。この閉塞機構では、蓋７０の外周部７２が外壁３０の内面３２に延びる保持溝３９に保持される。
【００１２】
針パーク１００は、溝４６と５３の内側のベース２０の上部２１にあり、針パーク１００に収容された外科用針１６０を蓋７０の出口７６から引き出すことができる。好ましくは針パーク１００はリブ５０内の開口１０２を有する。開口１０２は、収容する針１６０と効率的に摩擦し係合して保持するのに十分な大きさである。また、針パーク１００は、発泡部材、フラップ、変形可能端のある対向部材、それらの等価物等を有する従来の針パークでもよい。
【００１３】
図２に示すように、ベース２０には、巻取過程の間、従来の取付ピンを受ける孔２６と２７がある。また、ベース２０には、溝１５に従来の巻ピンを受ける複数の孔２５がある。また、孔２５は、縫糸１５０が縫糸溝１５に装填されるとき、ベース２０に真空を引くための真空ポートとして機能する。
外科用針１６０と縫糸１５０は以下の方法により組み合って本発明のトレイ１０に巻かれる。トレイ１０は巻取据付具に取り付けられ、巻取据付具では、従来の取付ピンが取付孔２６と２７に挿入される。加えて、巻ピンが溝１５の孔２５に入り、縫糸１５０を巻溝１５にガイドする。外科用針１６０が針パーク１００に取り付けられる。その後、据付具を回転して縫糸１５０が巻溝１５に配置される。同時に、孔２５で真空が引かれ、縫糸１５０を巻溝１５に保持するのを助ける。
【００１４】
図４〜６は本発明のパッケージの他の実施例を示す。パッケージ２００には平らで楕円形のベース２１０がある。ベース２１０は、円形、長方形、四角形、それらの組合せ等他の形でもよい。ベース２１０には、ベースを貫いてピン開口２１５がある。ベース２１０には上部２１２と外周部２１４がある。外壁２２０がベース２１０の周部２１４の上部２１２から上方に延びる。外壁２２０には内面２２１と上部２２２がある。閉塞リップ２３０が外壁２２０の上部２２２から延びる。溝２４０がベース２１０の上部２１２に延びる。溝２４０には、上方開口２４１、底２４２及び側部２４３がある。溝２４０は同心である。溝２４０はオプションの交差窪み２６０の各側で始まり終わる。交差窪みはベース２１０の上部に延びるへこみである。溝２４０が縫糸巻溝２５０を形成する。溝の内側で針窪み２７０がベース２１０の上部２１２に延びる。窪み２７０は、外科用針１６０を受ける底部２７２を有するへこみである。針パーク２８０が窪み２７０の底部２７２から上方に延びる。針パーク２８０は開口２８４で離される一対の対向部材２８２を有する。外科用針１６０は開口２８４と摩擦して係合する。蓋７０が外壁２２０の上部２２２に取り付けられ、閉塞リップ２３０を曲げ蓋７０の外周部と係合することにより所定の位置に保持される。図６はパッケージ２００用閉塞機構の他の実施例の部分断面図である。蓋７０は、外壁２２０の内側の保持溝２２８によりパッケージ２００に保持される。
【００１５】
図７〜９は本発明のパッケージの他の実施例である。パッケージ３００には、ピン開口３１５を有するほぼ楕円形ベース３１０がある。ベース３１０には外周部３１４と上部３１２がある。外壁３２０が、ベース２１０の外周部３１４の上部３１２から延びる。外壁３２０には上部３２２と内側部３２４がある。閉塞リップ２３０が外壁３２０の上部３２２から延びる。溝３４０が、螺旋溝３５０を形成してベース３１０の上部３１２に延びる。溝には開口３４１、底３４２及び側部３４３がある。溝は交差窪み３６０に隣接して始まり終わる。交差窪み３６０はベース３１０の上部３１２に延びる。針窪み３７０は、ベース３１０の上部３１２に延びるへこみである。針窪み３７０には針パーク３８０があり、さらに針パーク３８０には外科用針１６０が取り付けられる。針パーク３８０は、針窪み３７０の底部３７２から延びる一対の対向部材３８２を有する。対向部材３８２は開口３８４により離される。外科用針が開口３８４に挿入され、摩擦、係合して、対向部材３８２により保持される。蓋７０が外壁３２０の上部３２２に取り付けられる。閉塞リップ２３０を蓋７０の周部の上部に内側へ曲げる（ステークする）ことにより蓋７０が所定の位置に保持される。図９は他の蓋保持機構を示す。蓋７０が壁３２０に延びる保持溝３２８に嵌まる。従来の他の閉塞機構も使用できる。縫糸を溝にガイドするための巻据付具と針を含む従来の巻装置を用いて、パッケージ２００と３００に縫糸が装填される。
【００１６】
外科用針１６０と縫糸１５０は、以下の方法で本発明のパッケージから引き出される。医療専門家が針１６０を従来の針把握具を用いて掴み、パッケージの外周部を親指と人指し指の間で確実に保持しながら、蓋開口を通して上方に真直ぐに引くことにより引き出される。
本発明の縫糸パッケージは、パッケージから縫糸を引き出すとき、縫糸の「からみ」を防ぐと考えられる。特別の理論は望まないが、一つの可能性のある説明は、各ストランドを隆起の上部又はベースの上部と蓋の底部の間でパッケージから出して縫糸を続けて施すとき、キャプスタン効果を防ぎ、個々の縫糸の巻きを分離することによりからみを防ぐかもしれない。
【００１７】
縫糸の「からみ」の用語は、縫糸を楕円形、円形又は曲がった巻溝の縫糸パッケージから引き出そうとするとき生じることのある状態を意味すると定義される。縫糸パッケージでは、縫糸は、芯、内壁、ピン等の周りを巻き付き、縫糸の引き出しが防止されている。特別の理論は望まないが、「からみ」はキャプスタン効果により引き起こされると考えられる。
【００１８】
前述したように、本発明のパッケージの蓋は、蓋の底部が隆起の上部又はベースの上部（パッケージの実施例による）と接触するように、又はそれらに十分に近付いて、トレイに取り付けられる。それにより、滅菌、出荷、取扱、貯蔵等の際に、縫糸ストランド（即ち、セグメント）が溝から外れるのを効果的に防ぐ。従って、縫糸ストランドは１本の形を維持する。十分に上方に傾き又は移動できるように蓋を構成して取り付け、縫糸が本発明のパッケージから引き出されるとき、効果的に縫糸及び／又は縫糸ストランドが隆起又はベースの上部と蓋の底部の間を通過して、溝を出るようにする。
【００１９】
本発明のトレイは、医療グレードボール紙、ポリマー又はその組合せ等の従来の材料で形成できる。
一般にトレイは、注入成形、真空成形、数値制御機械加工、標準機械加工技術等の従来の方法により、ポリマーから製造される。
本発明の蓋７０はボール紙又はプラスチック等の従来の医療グレード材料で形成できる。好ましくは、蓋７０は、ダイカッテッング又は成形等の従来の製造方法により製造する。
【００２０】
本発明のパッケージに収容できる外科用針１６０は、先端がテーパ状の外科用針でも切削先端針でも従来のいかなる針でもよい。針１６０の形は、曲がっていても、半分曲がっていても、真直ぐでもまた他の従来の形でもよい。本発明のパッケージに収容される縫糸１５０は、絹、ポリプロピレン、ポリジオキサノン、それらの等価物等、従来の吸収性、非吸収性の従来のいかなる縫糸でもよい。縫糸は編まれていても、織られていても又は単繊維でもよい。
【００２１】
本発明の縫糸パッケージは、一般に、パッケージ５とその内容物の滅菌性を保つために、図１に示すような外側ホイルパッケージ等の外側パッケージに収容される。外側パッケージ２００は、ホイルパッケージ、ポリマーフィルム、紙、積層物、それらの組合せ等、従来のいかなる外側パッケージでもよい。本発明のパッケージは、エチレンオキシド、放射線、熱等の従来の滅菌方法により滅菌される。針１６０と縫糸１５０を含む本発明のパッケージは、使用する外側パッケージ及び滅菌方法の種類によって、外側パッケージに収容される前又は後に、滅菌してもよい。
【００２２】
本発明の縫糸パッケージは、好ましくは１本の縫糸及び１本の外科用針、すなわちシングアーム縫糸を収容する。しかしながら、当業者は、パッケージが、無アーム縫糸及び多数の縫糸と針、さらにダブルアーム縫糸を収容できることがわかるであろう。
本発明の縫糸パッケージには、多数の効果がある。パッケージは広範囲の縫糸の種類と長さに使用できる。パッケージは自動縫糸装填装置での使用に適している。加えて、本発明のパッケージは縫糸の「からみ」を減少させる。さらに、溝は、簡単に引き出せる一方、出荷と取扱の間縫糸を好ましい１本の「巻配置」パターンで維持する。
本発明を詳細な実施例について開示又は説明してきたが、当業者は、請求された発明の範囲と精神を離れること無く、多くの変更と詳細な形成ができることを理解できるであろう。
【００２３】
好適な実施態様を以下に示す。
（Ａ） 外周部、上部及び底部を有する平らなベース、
前記ベースの前記上部から延びる第一及び第二のハブ、
前記ベースの前記周部付近に前記ベースから延び、内面、外面及び上部を有する外壁、
前記ベースの前記上部から延び、前記各ハブと前記外壁を接続する複数の縫糸スポーク、
前記ベースから延び、前記外壁の対向部分を接続する少なくとも１つのリブ、  前記各スポークと前記各リブにあり、縫糸溝を形成する複数の溝、
周部を有する平らな蓋、及び
前記蓋を前記外壁の前記上部に固定する閉塞手段、
とを具備する縫糸パッケージ。
（１）前記閉塞手段が前記外壁の前記上部に隣接して前記外壁から上方に延びる部材である実施態様（Ａ）記載の縫糸パッケージ。
（２）さらに外科用針と縫糸を有する実施態様（Ａ）記載の縫糸パッケージ。
（３）前記パッケージ、針及び縫糸は滅菌されている実施態様（Ａ）記載の縫糸パッケージ。
（４）さらに密閉された外側パッケージを有する上記実施態様（３）記載の縫糸パッケージ。
（５）前記蓋はさらに前記周部に延びる複数の放射状スロットを有する実施態様（Ａ）記載の縫糸パッケージ。
（６）同心の溝を有する実施態様（Ａ）記載の縫糸パッケージ。
（７）溝は螺旋溝である実施態様（Ａ）記載の縫糸パッケージ。
（Ｂ） 外周部、上部及び底部を有する平らなベース、
前記ベースの前記上部から延びる第一及び第二のハブ、
前記ベースの前記周部付近に前記ベースから延び、内面、外面及び上部を有する外壁、
前記ベースの前記上部から延び、前記各ハブと前記外壁を接続する複数の縫糸スポーク、
前記ベースから延び、前記外壁の対向部分を接続する少なくとも１つのリブ、及び
前記各スポークと前記各リブにあり、縫糸溝を形成する複数の溝、
とを具備する縫糸パッケージ。
（８）さらに外科用針と縫糸を有する実施態様（Ｂ）記載の縫糸パッケージ。
（９）前記パッケージ、針及び縫糸は滅菌されている実施態様（Ｂ）記載の縫糸パッケージ。
（１０）さらに密閉された外側パッケージを有する上記実施態様（９）記載の縫糸パッケージ。
【００２４】
（１１）同心の縫糸溝を有する実施態様（Ｂ）記載の縫糸パッケージ。
（１２）溝は螺旋溝である実施態様（Ｂ）記載の縫糸パッケージ。
（Ｃ） 外周部、上部及び底部を有するほぼ平らなベース、
前記ベースの前記周部付近に前記ベースの前記上部から延び、内面、外面及び上部を有する外壁、
前記ベースにあって、前記ベースの上部にある開口、底部及び側部を有する、縫糸を受ける少なくとも１つの溝、
前記ベースの上部の中央で内壁内にある、針を受ける針パーク手段、
前記外壁の上部に取り付けられ、上部、底部、縫糸放出口及び外周部を有する平らな蓋、及び
前記蓋を前記外壁の前記上部に固定する手段、
とを具備する縫糸パッケージ。
（１３）さらに外科用針と縫糸を有する実施態様（Ｃ）記載の縫糸パッケージ。
（１４）前記パッケージ、針及び縫糸は滅菌されている実施態様（Ｃ）記載の縫糸パッケージ。
（１５）さらに密閉された外側パッケージを有する上記実施態様（１４）記載の縫糸パッケージ。
（１６）前記蓋はさらに前記周部に延びる複数の放射状スロットを有する上記実施態様（１５）記載の縫糸パッケージ。
（１７）同心の縫糸溝を有する実施態様（Ｃ）記載の縫糸パッケージ。
（１８）溝は螺旋溝である実施態様（Ｃ）記載の縫糸パッケージ。
（Ｄ） 外周部、上部及び底部を有するほぼ平らなベース、
前記ベースの前記周部付近に前記ベースの前記上部から延び、内面、外面及び上部を有する外壁、
前記ベースにあって、前記ベースの上部にある開口、底部及び側部を有する、縫糸を受ける少なくとも１つの溝、
前記ベースの上部の中央で内壁内にある、針を受ける針パーク手段、及び
前記蓋を前記外壁の前記上部に固定する手段、
とを具備する縫糸パッケージ。
（１９）さらに外科用針と縫糸を有する実施態様（Ｄ）記載の縫糸パッケージ。
（２０）前記パッケージ、針及び縫糸は滅菌されている実施態様（Ｄ）記載の縫糸パッケージ。
【００２５】
（２１）さらに密閉された外側パッケージを有する上記実施態様（２０）記載の縫糸パッケージ。
（２２）同心の縫糸溝を有する実施態様（Ｄ）記載の縫糸パッケージ。
（２３）溝は螺旋溝である実施態様（Ｄ）記載の縫糸パッケージ。
【００２６】
【発明の効果】
以上述べたように、本発明によれば、縫糸をパッケージから引き出す時にからむことが少なく、かつ容易に自動縫糸巻取装置に使用できる縫糸パッケージが得られる効果がある。
【図面の簡単な説明】
【図１】本発明のパッケージの好ましい実施例の斜視図であり、外側パッケージは点線で示されている。
【図２】蓋を除いた本発明のパッケージの平面図であり、縫糸を溝に装填し外科用針を針パークに収容したトレイを示しており、トレイには縫糸を保持する溝を含む複数のリブとスポークがある。
【図３】（Ａ）は、図２のパッケージの線３（Ａ）−３（Ａ）に沿った一部断面図であり、蓋保持部材がトレイの外壁の上部にある。（Ｂ）は、トレイの外壁にあるスナップ溝により蓋を保持する他の方法を示す線３（Ｂ）−３（Ｂ）に沿った一部断面図である。
【図４】ベースに同心の縫糸溝のある本発明のパッケージの他の実施例の平面図である。
【図５】図４のパッケージの線５−５に沿った一部断面図であり、トレイの外壁の上部に取り付けられた蓋を示している。
【図６】トレイの外壁にあるスナップ溝により蓋を保持する他の方法を示す一部断面図である。
【図７】ベースに螺旋形縫糸溝のある本発明のパッケージの他の実施例の平面図である。
【図８】図７の線８−８に沿った一部断面図であり、トレイの上壁に取り付けられた蓋を示している。
【図９】トレイの外壁にあるスナップ溝により蓋を保持する他の方法を示す一部断面図である。
【図１０】本発明のパッケージに使用する蓋の斜視図である。
【図１】
0003753795.tif 000002
【図２】
0003753795.tif 000003
【図３】
0003753795.tif 000004
【図４】
0003753795.tif 000005
【図５】
0003753795.tif 000006
【図６】
0003753795.tif 000007
【図７】
0003753795.tif 000008
【図８】
0003753795.tif 000009
【図９】
0003753795.tif 000010
【図１０】
0003753795.tif 000011